(57)【要約】【課題】  無線周波数識別(ＲＦＩＤ)データをＲＦＩＤリーダに伝送する移動端末回路を提供する。【解決手段】  無線周波数識別データリーダと通信するアンテナと、移動端末プロトコルデータと共に無線周波数識別データを貯蔵するメモリ部と、前記無線周波数識別データを無線周波数識別コーデックデータにコーディングするコーデック部と、前記無線周波数識別コーデックデータを無線周波数識別変調データに変調する変調部と、前記メモリ部に貯蔵されている無線周波数識別データを抽出し、これを前記コーデック部に伝送するプロセッサーと、前記プロセッサーに前記リーダの接近を知らせる判読部と、前記プロセッサーと前記メモリ部に動作タイミングを提供する第１クロック発生部と、動作タイミングを前記コーデック部及び変調部に提供する第２クロック発生部と、から構成される移動端末回路を提供する。【選択図】  図４
2005117632.tif 000002
【特許請求の範囲】
【請求項１】
無線周波数識別データを無線周波数識別データリーダに伝送する移動端末回路において、
無線周波数識別データリーダと通信するアンテナと、
移動端末プロトコルデータと共に無線周波数識別データを貯蔵するメモリ部と、
前記無線周波数識別データを無線周波数識別コーデックデータにコーディングするコーデック部と、
前記コーデック部と連結されて前記無線周波数識別コーデックデータを無線周波数識別変調データに変調する変調部と、
前記メモリ部と前記コーデック部に連結されて前記メモリ部に貯蔵されている無線周波数識別データを抽出し、これを前記コーデック部に伝送するプロセッサーと、
前記アンテナと前記プロセッサーに連結されて前記プロセッサーに前記無線周波数識別データリーダの接近を知らせる判読部と、
前記プロセッサーと前記メモリ部に連結されてこれらに動作タイミングを提供する第１クロック発生部と、
前記第１クロック発生部、前記コーデック部、及び前記変調部に連結されて動作タイミングを前記コーデック部及び変調部に提供する第２クロック発生部と、から構成されることを特徴とする移動端末回路。
【請求項２】
前記プロセッサーは、前記判読部からの無線周波数識別データリーダの接近を知らせる情報に応じて前記メモリ部から無線周波数識別データを抽出し、これを前記コーデック部に伝達することを特徴とする請求項１に記載の移動端末回路。
【請求項３】
前記判読部は、プロセッサーのインターラプトポートを含むことを特徴とする請求項１に記載の移動端末回路。
【請求項４】
前記判読部は、周波数判読装置を含むことを特徴とする請求項１に記載の移動端末回路。
【請求項５】
前記アンテナを介して受信する信号から検出される電圧を整流して前記プロセッサーに伝達するための整流部をさらに備えることを特徴とする請求項１に記載の移動端末回路。
【請求項６】
無線周波数識別データを無線周波数識別データリーダに伝送する移動端末回路において、
無線周波数識別データリーダと通信するアンテナと、
前記移動端末回路の各電気的要素に第１動作タイミングを提供する第１クロック発生部と、
無線周波数識別データを貯蔵する無線周波数識別メモリ；前記無線周波数識別データを無線周波数識別コーデックデータにコーディングするコーデック部；前記コーデック部と連結されて前記無線周波数識別コーデックデータを無線周波数識別変調データに変調させる変調部；及び、前記第１クロック発生部、前記コーデック部及び前記変調部に連結されて第２動作タイミングを前記コーデック部及び変調部に提供する第２クロック発生部を含む無線周波数識別モジュールと、
前記無線周波数識別モジュールを含む電話機回路内の各電気的要素に動作電源を供給する電源部と、
前記電源部、前記第１クロック発生部、及び前記無線周波数識別モジュールに連結されて前記電源部の動作を命令するプロセッサーと、
前記アンテナと前記プロセッサーに連結されて前記プロセッサーに前記無線周波数識別データリーダの接近を知らせる判読部と、を含み、
前記プロセッサーが前記電源部に前記無線周波数識別モジュールに電源を供給するように命令し、前記無線周波数識別モジュールが前記無線周波数識別メモリ、前記コーデック部、及び前記変調部を利用して無線周波数識別変調データを発生することを特徴とする移動端末回路。
【請求項７】
無線周波数識別データを無線周波数識別データリーダに伝送する移動端末回路において、
無線周波数識別データリーダと通信するアンテナと、
前記移動端末回路の各電気的要素に第１動作タイミングを提供する第１クロック発生部と、
移動端末プロトコルデータと共に無線周波数識別データを貯蔵するメモリ部と、
前記無線周波数識別データを無線周波数識別コーデックデータにコーディングするコーデック部；前記コーデック部と連結されて前記無線周波数識別コーデックデータを無線周波数識別変調データに変調させる変調部；及び、前記第１クロック発生部、前記コーデック部及び前記変調部に連結されて第２動作タイミングを前記コーデック部及び変調部に提供する第２クロック発生部を含む無線周波数識別モジュールと、
前記無線周波数識別モジュールを含む電話機回路内の各電気的要素に動作電源を供給する電源部と、
前記電源部、前記第１クロック発生部、前記メモリ部、及び前記無線周波数識別モジュールに連結されて前記電源部の動作を命令し、前記無線周波数識別データを検出してこの無線周波数識別データを前記無線周波数識別モジュールに伝達するプロセッサーと、
前記アンテナと前記プロセッサーに連結されてこのプロセッサーに前記リーダの接近を知らせる判読部と、を含み、
前記プロセッサーが前記電源部に、前記無線周波数識別モジュールに動作電源を供給するように命令し、前記無線周波数識別モジュールが前記受信した無線周波数識別データをコーディング及び変調して無線周波数識別変調データを発生することを特徴とする移動端末回路。
【請求項８】
前記プロセッサーはイネーブルポートを利用して前記電源部に命令することを特徴とする請求項６または７に記載の移動端末回路。
【請求項９】
前記判読部が前記プロセッサーに含まれることを特徴とする請求項６または７に記載の移動端末回路。
【請求項１０】
前記判読部が周波数の変化を感知する周波数判読装置から構成されることを特徴とする請求項６または７に記載の移動端末回路。
【請求項１１】
移動端末機が無線周波数を識別する方法において、
判読部が無線周波数識別データリーダの接近を感知してプロセッサーに知らせる第１過程と、
前記プロセッサーが前記無線周波数識別データリーダの接近を認識し、メモリ部から無線周波数識別データを抽出しこれをコーデック部に伝達する第２過程と、
前記コーデック部が前記受信した無線周波数識別データを無線周波数識別コーデックデータにコーディングする第３過程と、
変調部が前記無線周波数識別コーデックデータを無線周波数識別変調データに変調して前記無線周波数識別データリーダに伝送する第４過程と、を含むことを特徴とする方法。
【請求項１２】
無線周波数識別モジュールを備えた移動端末機が無線周波数を識別する方法において、
判読部が無線周波数識別データリーダの接近を感知してプロセッサーに知らせる第１過程と、
前記プロセッサーが前記無線周波数識別データリーダの接近を認識し、メモリから無線周波数識別データを抽出しこれを前記無線周波数識別モジュールに伝達する第２過程と、
前記無線周波数識別モジュールが前記受信した無線周波数識別データをコーディング及び変調して前記無線周波数識別データリーダに伝送する第３過程と、を含むことを特徴とする方法。
【請求項１３】
前記プロセッサーが前記無線周波数識別データリーダの接近を認識し、電源部に前記無線周波数識別モジュールに電源を供給するように命令する過程をさらに含むことを特徴とする請求項１２に記載の方法。
【請求項１４】
無線周波数識別データを無線周波数識別データリーダに伝送する移動端末回路において、
無線周波数識別データリーダと通信するアンテナと、
移動端末プロトコルデータと共に無線周波数識別データを貯蔵するメモリ部と、
無線周波数認識機能を実行し、前記第１クロック発生部から出力されるシステムクロックを利用して無線周波数識別のための動作タイミングを提供する第２クロック発生部を含む無線周波数識別モジュールと、
前記メモリ部と前記無線周波数識別モジュールに連結されて前記メモリ部に貯蔵されている無線周波数識別データを抽出しこれを前記無線周波数識別モジュールに伝送するプロセッサーと、
前記アンテナと前記プロセッサーに連結されて前記プロセッサーに前記リーダの接近を知らせる判読部と、
前記プロセッサーと前記メモリ部に連結されてこれらに動作タイミングを提供する第１クロック発生部と、から構成されることを特徴とする移動端末回路。
【請求項１５】
前記無線周波数識別モジュールは、前記無線周波数識別データを無線周波数識別コーデックデータにコーディングするコーデック部と、該コーデック部に連結されて前記無線周波数識別コーデックデータを無線周波数識別変調データに変調させる変調部と、をさらに含むことを特徴とする請求項１４に記載の移動端末回路。
【請求項１６】
無線周波数識別データを無線周波数識別データリーダに伝送する移動端末回路において、
無線周波数識別データリーダと通信するアンテナと、
前記移動端末回路の各電気的要素に第１動作タイミングを提供する第１クロック発生部と、
無線周波数識別機能を行う無線周波数識別モジュールと、
前記無線周波数識別モジュールを含む電話機回路内の各電気的要素に動作電源を供給する電源部と、
前記電源部、前記第１クロック発生部、及び前記無線周波数識別モジュールに連結されて前記電源部の動作を命令するプロセッサーと、
前記アンテナと前記プロセッサーに連結されて前記プロセッサーに前記無線周波数識別データリーダの接近を知らせる判読部と、を含み、
前記プロセッサーが前記電源部に、前記無線周波数識別モジュールに電源を供給するように命令し、前記無線周波数識別モジュールが無線周波数識別変調データを発生することを特徴とする移動端末回路。
【請求項１７】
無線周波数識別モジュールが、前記無線周波数識別データを貯蔵する無線周波数識別メモリ；前記無線周波数識別データを無線周波数識別コーデックデータにコーディングするコーデック部；前記コーデック部と連結されて前記無線周波数識別コーデックデータを無線周波数識別変調データに変調させる変調部；そして、前記第１クロック発生部、前記コーデック部及び前記変調部に連結されて第２動作タイミングを前記コーデック部及び変調部に提供する第２クロック発生部を含むことを特徴とする請求項１６に記載の移動端末回路。
【請求項１８】
無線周波数識別データを無線周波数識別データリーダに伝送する移動端末回路において、
無線周波数識別データリーダと通信するアンテナと、
前記移動端末回路の各電気的要素に第１動作タイミングを提供する第１クロック発生部と、
移動端末プロトコルデータと共に無線周波数識別データを貯蔵するメモリ部と、
前記無線周波数識別データを処理する無線周波数識別モジュールと、
前記無線周波数識別モジュールを含む電話機回路内の各電気的要素に動作電源を供給する電源部と、
前記電源部、前記第１クロック発生部、前記メモリ部、及び前記無線周波数識別モジュールに連結されて前記電源部の動作を命令し、前記無線周波数識別データを検出してこの無線周波数識別データを前記無線周波数識別モジュールに伝達するプロセッサーと、
前記アンテナと前記プロセッサーに連結されて前記プロセッサーに前記リーダの接近を知らせる判読部と、を含み、
前記プロセッサーが前記電源部に、前記無線周波数識別モジュールに動作電源を供給するように命令し、前記無線周波数識別モジュールが無線周波数識別変調データを発生することを特徴とする移動端末回路。
【請求項１９】
前記無線周波数識別モジュールが、前記無線周波数識別データを無線周波数識別コーデックデータにコーディングするコーデック部；前記コーデック部に連結されて前記無線周波数識別コーデックデータを無線周波数識別変調データに変調させる変調部；そして、前記第１クロック発生部、前記コーデック部、及び前記変調部に連結されて第２動作タイミングを前記コーデック部及び変調部に提供する第２クロック発生部を含むことを特徴とする請求項１８に記載の移動端末回路。
【発明の詳細な説明】
【技術分野】
【０００１】
本発明は、活用頻度及び重要性が増大しつつある無線周波数識別(Radio Frequency Identification：以下、“ＲＦＩＤ”という)タグと広く普及されている通信端末機に関し、特に、ＲＦＩＤタグが一体型に付けられている通信端末回路及びその通信端末機での無線識別方法に関する。
【背景技術】
【０００２】
ＲＦＩＤトランスポンダー(transponder)あるいはタグは、アメリカ合衆国国立研究所の農業部署で家畜を確認する目的から開発されたものである。つまり、動物を区別できる電気的符号をタグに書込んだ後、動物に挿入または貼付するとともに、これを読み出すリーダ(または、interrogator)を動物の檻などに取り付けることによって、動物が帰ってきたか否かを簡便に把握してきたのである。リーダは、ＲＦ(Radio Frequency)信号をタグに伝送し、タグに書込まれている電気的符号はタグの変調器で変調された後リーダに戻ってくる。これをバックスキャッター変調(backscatter modulation)という。ＲＦＩＤタグは、アンテナコイルを持っており、変調信号をリーダに伝送する。このような初期システムは特許文献１及び特許文献２に具体的に記述されている。
【０００３】
その後、動く事物を確認する技術は、技術の進歩に伴って家畜管理の次元を越えて様々な分野に応用するに到った。例えば、自動車や海上搬送コンテナ、鉄道車両などに適用されるが、このような運送手段のタグに書込まれた情報は、位置追跡や貨物の内容確認などに使用される。かかる応用分野関連技術が、特許文献３〜８に詳細に説明されている。
【０００４】
近来、ＲＦＩＤ技術がより様々な分野で試験されているが、中でも通信システムは様々な応用可能性から注目を受けている。例えば、移動通信システムは、多くの加入者を収容しているため、ＲＦＩＤに基づく応用分野が事業化すると収益創出が容易となり、且つ、現在の移動通信システムは収益性の面で安定化しているため、事業者の立場からは新たな付加価値を創出できる応用分野の開発を要求している実情である。
【０００５】
移動通信システムにＲＦＩＤ技術を導入すると、セルラー環境に合う多様な付加サービスが創出されると予想される。この場合において最も至急な要求事項は、現在のセルラーシステムに現在のＲＦＩＤ装置が無理なく組み込まれることである。
【０００６】
これに関連する主要先行技術には、特許文献９及び１０と、非特許文献１である‘RF Rendez-Blue：reducing power and inquiry costs in Bluetooth-enabled mobile systems’と、そして特許文献１１などとがある。
【０００７】
特許文献９は、移動通信装置について述べており、ここではＩＤモジュール(identification Module)が移動通信端末機のＲＦ部分とアンテナとの間に追加され、移動通信端末機はブルートゥース(Bluetooth)モジュールを含めている。また、ＩＤモジュールはミキサー(mixer)を含めているが、ＩＤモジュールからリーダに２．４５ＧＨｚのＲＦＩＤ周波数を通じて伝送するバックスキャッター型(backscatter type)メッセージを、コンピュータで後処理するために基底帯域(baseband)に送ったり移動通信標準呼チャンネルやブルートゥースチャンネルを通じて基地局に伝送する役割を果たす。この技術の核心は、独立したＩＤモジュールをミキサーを通じて既存の移動通信端末機回路と連結し、これを通じて基底周波数帯域あるいは既存の呼チャンネルまたはブルートゥースチャンネルをＲＦＩＤ周波数帯域に活用するという点にある。このため、異なる機種回路間の結合については記述していない。
【０００８】
特許文献１０は、ＲＦＩＤリーダが移動通信端末機に統合されており、情報の送受信が移動通信端末機の周波数帯域を通じてなされるのを記述している。しかし、この技術は、リーダでなく、ＲＦＩＤタグが移動通信端末機回路に結合されることを記述しておらず、さらには、リーダと端末機回路間の結合に対する詳細な技術事項が言及されていないため、当該分野で通常の知識を持つ者がリーダ回路と端末機回路間の結合からタグ回路と端末機回路間の結合を予測することができない。
【０００９】
非特許文献１‘RF Rendez-Blue’はブルートゥースの初期実行時間を縮めるべく、ＲＦＩＤモジュールをブルートゥースモジュールと並列に連結する構造を提示しており、これは本発明が提示する一体型構造とはだいぶ異なる。
【００１０】
特許文献１１には、独立したスマートカードが移動通信端末機の主演算プロセッサーにデータを送る技術を開示しているだけで、スマートカードと主演算プロセッサーあるいはその周辺回路との結合を提示してはいない。すなわち、これは、個別的で独立した回路及びプロセッサーを一つの機構物の中に配置させたものに過ぎない。
【００１１】
上記の先行技術は主として、ＲＦＩＤモジュールあるいはタグと通信端末機回路間の水平的・並列的連結を記述したり周波数観点からの資源共有を提示している。しかし、先行技術は依然として下記のような問題点を抱えている。
【００１２】
第一に、通信端末機の主要課題の一つである小型化が困難である。たとえ、ＲＦＩＤタグが一つのチップとアンテナコイルとの組合で具現できたとしても、通信端末機の小型化への一般的傾向から見るとき、より小型のものを具現する必要がある。
【００１３】
第二に、従来のＲＦＩＤタグそのものが電源を持っていないため、ＲＦＩＤリーダの搬送波から誘導された起電力を電源として使用するが、ＲＦＩＤリーダとタグとの間の空中環境が雑音などに影響を受ける環境だと、ＲＦＩＤタグ全体の電源供給に支障を与える恐れがあり、ＲＦＩＤタグが誤動作する結果につながってしまう。
【特許文献１】米国特許番号第４,０７５,６３２号
【特許文献２】米国特許番号第４,３６０,８１０号
【特許文献３】米国特許番号第４,７３９,３２８号
【特許文献４】米国特許番号第４,７８２,３４５号
【特許文献５】米国特許番号第４,７８６,９０７号
【特許文献６】米国特許番号第４,８１６,８３９号
【特許文献７】米国特許番号第４,８３５,３７７号
【特許文献８】米国特許番号第４,８５３,７０５号
【特許文献９】ＷＯ ０１/３９１０３Ａ１
【特許文献１０】ＷＯ ０３/０２５８３４Ａ１
【特許文献１１】大韓民国特許庁公開特許公報特２００２−００９０９２９号
【非特許文献１】ＩＥＥＥ論文(Hall, E.S.；Vawdrey, D.K.；Knutson, C.D.；Computer Communications and Networks, 2002. Proceedings. Eleventh International Conferenceon,14-16 Oct. 2002)
【発明の開示】
【発明が解決しようとする課題】
【００１４】
したがって、本発明の目的は、通信端末機の小型化及びＲＦＩＤ動作の安全性を保障する、ＲＦＩＤタグが一体型に組み込まれた通信端末回路及びその通信端末機での無線識別方法を提供することにある。
【課題を解決するための手段】
【００１５】
上記の目的を達成するべく、本発明の第１実施の形態は、無線周波数識別データを無線周波数識別データリーダに伝送する移動端末回路が、無線周波数識別データリーダと通信するアンテナと、移動端末プロトコルデータと共に無線周波数識別データを貯蔵するメモリ部と、前記無線周波数識別データを無線周波数識別コーデックデータにコーディングするコーデック部と、前記コーデック部と連結されて前記無線周波数識別コーデックデータを無線周波数識別変調データに変調する変調部と、前記メモリ部と前記コーデック部に連結されて前記メモリ部に貯蔵されている無線周波数識別データを抽出し、これを前記コーデック部に伝送するプロセッサーと、前記アンテナと前記プロセッサーに連結されて前記プロセッサーに前記リーダの接近を知らせる判読部と、前記プロセッサーと前記メモリ部に連結されてこれらに動作タイミングを提供する第１クロック発生部と、前記第１クロック発生部、前記コーデック部、及び前記変調部に連結されて動作タイミングを前記コーデック部及び変調部に提供する第２クロック発生部と、から構成されることを特徴とする。
【００１６】
上記の目的を達成するべく、本発明の第２実施の形態は、無線周波数識別データを無線周波数識別データリーダに伝送する移動端末回路が、無線周波数識別データリーダと通信するアンテナと、前記移動端末回路の各電気的要素に第１動作タイミングを提供する第１クロック発生部と、無線周波数識別データを貯蔵する無線周波数識別メモリ；前記無線周波数識別データを無線周波数識別コーデックデータにコーディングするコーデック部；前記コーデック部と連結されて前記無線周波数識別コーデックデータを無線周波数識別変調データに変調させる変調部；及び、前記第１クロック発生部、前記コーデック部及び前記変調部に連結されて第２動作タイミングを前記コーデック部及び変調部に提供する第２クロック発生部を含む無線周波数識別モジュールと、前記無線周波数識別モジュールを含む電話機回路内の各電気的要素に動作電源を供給する電源部と、前記電源部、前記第１クロック発生部、及び前記無線周波数識別モジュールに連結されて前記電源部の動作を命令するプロセッサーと、前記アンテナと前記プロセッサーに連結されて前記プロセッサーに前記無線周波数識別データリーダの接近を知らせる判読部と、を含み、前記プロセッサーが前記電源部に前記無線周波数識別モジュールに電源を供給するように命令し、前記無線周波数識別モジュールが前記無線周波数識別メモリ、前記コーデック部、及び前記変調部を利用して無線周波数識別変調データを発生することを特徴とする。
【００１７】
上記の目的を達成するべく、本発明の第３実施の形態は、無線周波数識別データを無線周波数識別データリーダに伝送する移動端末回路が、無線周波数識別データリーダと通信するアンテナと、移動端末プロトコルデータと共に無線周波数識別データを貯蔵するメモリ部と、無線周波数認識機能を実行し、前記第１クロック発生部から出力されるシステムクロックを利用して無線周波数識別のための動作タイミングを提供する第２クロック発生部を含む無線周波数識別モジュールと、前記メモリ部と前記無線周波数識別モジュールに連結されて前記メモリ部に貯蔵されている無線周波数識別データを抽出しこれを前記無線周波数識別モジュールに伝送するプロセッサーと、前記アンテナと前記プロセッサーに連結されて前記プロセッサーに前記リーダの接近を知らせる判読部と、前記プロセッサーと前記メモリ部に連結されてこれらに動作タイミングを提供する第１クロック発生部と、から構成されることを特徴とする。
【００１８】
上記の目的を達成するべく、本発明の第４実施の形態は、無線周波数識別モジュールを備えた移動端末機が無線周波数を識別する方法が、判読部が無線周波数識別データリーダの接近を感知してプロセッサーに知らせる第１過程と、前記プロセッサーが前記無線周波数識別データリーダの接近を認識し、メモリから無線周波数識別データを抽出しこれを前記無線周波数識別モジュールに伝達する第２過程と、前記無線周波数識別モジュールが前記受信した無線周波数識別データをコーディング及び変調して前記無線周波数識別データリーダに伝送する第３過程と、を含むことを特徴とする。
【発明の効果】
【００１９】
上述の如く、本発明は、通信端末機の小型化とＲＦＩＤタグの安定した動作を保障しながら、ＲＦＩＤタグと通信端末機との一体化を具現するメリットがある。また、各素子の汎用性を高めて一体化を具現することによって従来の端末機回路を最大限活用するメリットがある。
【発明を実施するための最良の形態】
【００２０】
以下、本発明の好ましい実施の形態を添付図面を参照しつつ詳細に説明する。図面中、同一の構成要素には可能な限り同一の参照番号または符号を付けるし、下記の説明にあたり周知技術については適宜説明を省略するものとする。
図１は、受動型ＲＦＩＤタグの構造を示す図であり、特に、マイクロチップ(Microchip)社のＭＣＲＦ２００製品を示している。図１を参照すれば、コイルインターフェース２０９は、アンテナコイル(図示せず)とＲＦＩＤ回路要素間の連結部分を示す。前記アンテナコイルは、ＲＦＩＤリーダ(図示せず)がＲＦＩＤタグに近づくにつれてファラディ法則(Faraday’s law)によってリーダとタグ間の誘導結合方式(Inductive Coupling)を通じて誘導起電力を生じさせる。前記アンテナコイルの電圧レベルは、前記変調回路２０９から出力される変調された信号(modulated signal)によって変わる。整流部(Rectifier)２０２は、前記誘導起電力のＡＣ電圧を整流し、回路の残る要素へＤＣ電圧を提供する。クロック発生部(Clock Generator)２０１は、リーダから送られてくる信号から搬送波(carrier)周波数を抽出してシステムクロックを生じさせる。該クロックは、タグの残りの要素へ伝送速度(baud rate)、変調速度(modulation rate)、そしてプログラミング速度(programming rate)などを提供する。行デコーダ(Row Decoder)２０４と列デコーダ(Column Decoder)２０７は、メモリー２０６に貯蔵されているＩＤデータをクロック速度で抽出し、変調に先立ってＮＲＺ(Non Return Zero)直接(Direct)方式、差動２相(Differential Biphase)方式、あるいはマンチェスター２相(Manchester Biphase)方式などでコーディングしシリアルデータ列にする。変調制御部２０３は、各デコーダ２０４、２０７を通じて送られてきたシリアルデータ列を約束された方式、例えば、周波数偏移方式(Frequency Shift Keying：ＦＳＫ)あるいは位相偏移方式(Phase Shift Keying：ＰＳＫ)などで変調してコイルインターフェース２０９に送る。カウンター２０５は、クロック発生部２０１から出力されるクロックをカウントして行デコーダ２０４と列デコーダ２０７に提供する。
【００２１】
図２は、従来の通信端末機の構成例を示す図である。図２を参照すれば、ＭＰＵ(Main Processing Unit)１００は、端末機の全般的な動作を調整する主演算装置である。ＭＰＵ １００には、システムクロックＳＣＬＫが提供される。メモリ部(memory portion)１０２は、システムＲＡＭ(System Random Access Memory)７２、フラッシュＲＯＭ(Flash Read-Only Memory)７４、ＥＥＰＲＯＭ(Electrically Erasable Programmable Read-Only Memory)７６で構成される。ＲＦ部(Radio Frequency Block)１１１は、アンテナ(図示せず)を介した無線送／受信のための信号処理を行う。基底帯域部(baseband block)１１０は、ＭＰＵ １００から入力されるデジタル信号をアナログ形態に変換し、これから中間周波数信号を生じさせてＲＦ部１１１に送り込むか、ＲＦ部１１１から送られてきた中間周波数信号を処理してデジタル信号をＭＰＵ １００に伝達する。キーボード１０８と表示部１０９はそれぞれ、入力手段と出力手段として機能する。ボコーダー(Vocoder)１０６は、使用者の音声をデジタル信号に変換し処理してＭＰＵ １００に伝達する。ＳＩＭ(Subscriber Identification Module)カード１０７は、ＧＳＭ(Global System for Mobile communications)システムなどで使用者の情報を貯蔵し、これを回路に伝達する機能を行う。システムによってはＳＩＭカード内の使用者情報がメモリ部１０２に貯蔵されてもよいが、その代表例にはＣＤＭＡシステムが挙げられる。バッテリーセル１１３は、通信端末機に供給する電力を充電あるいは放電する。電源部(Power block)１１２は、前記バッテリーセル１１３に充電された電力をもって通信端末機の各構成要素に適切に電源を供給する役割を果たす。
【００２２】
図３は、図２の構成要素のうちＭＰＵ １００の具体的な構成例を示す図である。通信端末機のＭＰＵ １００には、例えば、フィリップス(Philips)社製のＰＣＦ５０８３、アナログデバイス(Analog Devices)社製のＡＤ６５２６、モトローラ(Motorola)社製のＤＳＰ５６６５４などがある。これらの主要構成要素には、ＭＰＵコア(core)３０５、ＤＳＰ(Digital Signal Processor)３０３、クロック発生部(Clock Generator)３０２、ＲＦインターフェース３０６、ＭＭＩ(Man Machine Interface)インターフェース３０７、インターラプトポート３０４などがある。本発明と直接的な関連を持つ上記の構成要素の他にも、ＭＰＵ １００には追加の構成要素が多数含まれる。これらの追加構成要素に対する詳細は上述の文献から容易にわかるので説明を省略するものとする。
【００２３】
クロック発生部３０２は、システムクロックＳＣＬＫからソースクロック(例：１３ＭＨｚ)を受信し、これを分周して周辺要素に適宜のクロックを提供する。ＭＰＵコア(core)３０５は、ＭＰＵ １００の主要演算部で、ＡＲＭ(Advanced RISC Machines)社製の３２ビット(bit)ＡＲＭ７ＴＤＭＩ(登録商標)やモトローラ社製のM-Core(登録商標)などがある。インターラプトポート(Interrupt Port)３０４は、ＭＰＵ １００の外部ポートの一つで、外部装置から発生するインターラプトを探知するのに使用される。ＲＦインターフェース３０６とＭＭＩインターフェース３０７はそれぞれ、ＲＦ回路、キーボード及び表示部などとＭＰＵコア３０５との間のインターフェースを担当する。ＤＳＰ ３０３は移動通信システムにおいて速い演算を要求する技術、例えば、変復調や基底帯域変調などを実行する。
【００２４】
図４は、本発明の第１実施例によるＲＦＩＤタグが組み込まれた通信端末機の構成を示す図である。ここでは、前記ＲＦＩＤタグと通信端末機との連結に関連した部分を除く通信端末機固有あるいは公知の構成要素は省略されている。
本第１実施例では、通信端末機のＭＰＵ５５０Ａが、ＲＦＩＤタグの構成要素であるＲＦＩＤコーデック部４０４とＲＦＩＤ変調部４０５とを含む。また、本第１実施例によれば、通信端末機のメモリ部１０２は電話プロトコルデータと共にＲＦＩＤメモリデータ７８をさらに貯蔵する。
【００２５】
図２を参照すれば、通信端末機のＥＥＰＲＯＭ７６は、メモリ部１０２の一構成要素である。通常、ＥＥＰＲＯＭ７６は、ＲＦ部１１１、表示部１０９、音声ボリューム、住所録データなどの使用者定義値、及びワップ(ＷＡＰ：Wireless Application Protocol)データを貯蔵している。しかし、フラッシュＲＯＭ７４の容量が増大すると、低速のＥＥＰＲＯＭ７６のデータを高速のフラッシュＲＯＭ７４に移して貯蔵している。このため、ＥＥＰＲＯＭ７６は余分のデータを貯蔵するような充分の空間を持っているのが一般的である。したがって、この遊休貯蔵空間にＲＦＩＤデータを貯蔵するのは利得になるといえる。
【００２６】
図３を参照すれば、クロック発生部３０２は、図２のシステムクロックＳＣＬＫから受信したソースクロックを周辺の構成要素に合うように様々なクロックに分周して供給する。したがって、ＲＦＩＤタグの構成要素のためのクロックをさらに分周して供給することも可能である。
【００２７】
図４において、ＲＦＩＤ変調部４０５はＭＰＵ５５０Ａの中に容易に具現可能である。ＲＦＩＤ技術で使用されている変調方式は、ＦＳＫあるいはＰＳＫなどであり、例えばＧＭＳＫ(Gaussian Minimum Shift Keying)のような従来の通信変調方式に比べて複雑度か低い。したがって従来の関連ロジック及び技術を利用して具現可能である。また、ＲＦＩＤコーデック部４０４も、従来の通信コーディングに比べて雑都度が低く、具現が容易である。
【００２８】
インターラプトポート３０４は、ＲＦＩＤリーダ(図示せず)の接近を判断し、貯蔵されているＲＦＩＤデータを伝送すべき時点を知らせるためのものである。アンテナコイル２００にＲＦＩＤリーダが近づくと誘導起電力が発生して整流部２０２に供給され、整流部２０２は誘導起電力をＤＣ(Direct Current)信号に切り替える。このＤＣ信号の発生はインターラプトポート３０４により認知される。このように判読部を前記インターラプトポート３０４で具現せずに、周波数判読部(frequency detector)を使って具現してもいい。つまり、アンテナコイルから誘導起電力が生じると、これは特定周波数帯域の電波が発生するのを意味するので、この周波数の変化を感知する周波数判読部(frequency detector)を使ってＭＰＵコア３０５に認知させることができる。周波数判読部の一例にフィリップ社のＴＤＡ７０２１Ｔなどがある。
【００２９】
ＭＰＵコア３０５は、前記インターラプトポート３０４を介してＲＦＩＤリーダの接近を認知すれば、メモリ部１０２に貯蔵されているＲＦＩＤデータ７８をＲＦＩＤコーデック部４０４に伝達するように命令する。このＲＦＩＤデータを受信したＲＦＩＤコーデック部４０４は、このデータをコーディングしてＲＦＩＤ変調部４０５に無線周波数識別コーデックデータを伝達し、ＲＦＩＤ変調部４０５はこれを変調して無線周波数識別変調データをアンテナコイル２００を介してＲＦＩＤリーダに伝達する。
【００３０】
図１においては、ＲＦＩＤリーダがＲＦＩＤタグに近づくと、クロック発生部２０１がクロックを抽出して残りの要素に供給し、整流部２０２が電源を供給する。このとき前記整流部２０２を除く残りの回路がリセットされるように構成されているため、貯蔵されたデータの伝送時点がわかる。しかし、周辺環境によってＲＦＩＤリーダの搬送波(carrier)から不安定なクロックが抽出されることがあり、これはＲＦＩＤタグの誤動作の原因とされてきた。しかも、電源供給によるデータ伝送時点の認識もまた、周辺環境から影響を受けることがあった。これと違い、本発明は、図４のような構成を持つことから上記の問題点を效果的に克服することができる。すなわち、ＭＰＵ５５０Ａの内部にＲＦＩＤタグの構成要素の大部分が組み込まれるため、電源部１１２から安定した電源がＲＦＩＤタグの各構成要素に供給される。また、ＲＦＩＤタグは、ＲＦＩＤリーダの搬送波から抽出されるクロックでない、通信端末機の安定した内部クロックが供給される。図４に示すように、第１クロック発生部２５０はＭＰＵコア３０５とメモリ部１０２に連結されるだけでなく、電話機回路の各電気的要素に連結されてそれらに動作タイミングを提供する。第１クロック発生部２５０から出力されるシステムクロックＳＣＬＫは第２クロック発生部３０２に提供され、該第２クロック発生部３０２はＲＦＩＤコーデック部４０４とＲＦＩＤ変調部４０５に連結されてそれらに動作タイミングを提供する。
【００３１】
図５は、本発明の第２実施例によるＲＦＩＤタグが組み込まれた通信端末機の構成を示す図であり、ＲＦＩＤタグの主要要素が一つのＩＣ(Integrated Circuit)で具現されたものである。ここでは移動端末機とＲＦＩＤタグ間の連結に関連した部分を除いては通信端末機固有あるいは公知の構成要素は示さないことを明らかにしておきたい。
【００３２】
図５に示すように、ＲＦＩＤコーデック部４０４、ＲＦＩＤ変調部４０５、クロック発生部３０２、及びＲＦＩＤメモリ部７８などが一つのＩＣ６００(以下、ＲＦＩＤチップ(chip)あるいはＲＦＩＤモジュール(module)と称する)で具現されており、これは様々な変形が可能である。その変形の一例を図６に示す。
【００３３】
図１の構成において、ＲＦＩＤタグは、整流部２０２とクロック発生部２０１とを持つ。しかし、本第２実施例では、クロック発生部２０１の代わりに、図４と同様に、第２クロック発生部３０２がシステムクロックＳＣＬＫを受信し、これを分周して各構成要素に供給する。また、整流部２０２の代わりにＭＰＵ５５０Ｂの内部あるいは外部に周波数判読部５０１を配置してアンテナコイル４０７から生じる電波の周波数変化を感知してこれをＭＰＵコア３０５に伝達し、ＭＰＵコア３０５はＲＦＩＤチップ６００の動作時点をイネーブル(Enable)ピンＥｎを介して電源供給部１１２に知らせるように構成する。
【００３４】
周波数判読部５０１は、周波数変化を感知する役割を果たす。周波数変化の感知は、様々な方式で具現可能である。例えば、周波数判読部５０１が一定の周期をもってアンテナコイル４０７から生じる電波の周波数を検索する途中で特定周波数を持つ応答(ＡＣＫ)信号が検出されると、これをＭＰＵコア３０５に伝達する。電源部１１２はＲＦＩＤチップ６００に電源を供給して各構成要素の動作を可能にする。
【００３５】
上述の第１実施例と違い、第２実施例の特徴は、ＭＰＵ５５０Ｂの構造を変更させないか、変更させてもそれを最小限に抑え、従来のＲＦＩＤタグの代わりに通信端末機に適するように設計されたＲＦＩＤタグを利用することによって通信端末機の主要技術課題である汎用性と小型化を達成したことにある。
【００３６】
図６は、本発明の第３実施例による無線周波数識別タグが組み込まれた通信端末機の構成を示す図である。図６は、図５におけるとは違い、ＲＦＩＤメモリ部７８を無線周波数識別モジュール６００に含めず、図４と同様にメモリ部１０２内に含めて構成した例である。
【００３７】
一方、以上の詳細な説明では具体的な実施例に上げて本発明を説明してきたが、本発明の範囲を外れない限度内で様々な変形が可能であることは言うまでもない。したがって、本発明の範囲は説明された実施例によって定められてはいけなく、特許請求の範囲及びこの特許請求の範囲と均等なものによって定められるべきであろう。
【図面の簡単な説明】
【００３８】
【図１】従来の無線周波数識別タグの構造を示す図。
【図２】従来の通信電話機の構成例を示す図。
【図３】図２の構成要素のうち主演算装置の具体的な構成例を示す図。
【図４】本発明の第１実施例による無線周波数識別タグが組み込まれた通信端末機の構成を示す図。
【図５】本発明の第２実施例による無線周波数識別タグが組み込まれた通信端末機の構成を示す図。
【図６】本発明の第３実施例による無線周波数識別タグが組み込まれた通信端末機の構成を示す図。
【符号の説明】
【００３９】
１００    ＭＰＵ
１０２    メモリ部
１０６    ボコーダー
１０７    ＳＩＭカード
１１０    基底帯域部
１１１    ＲＦ部
１１２    電源部
２０１    クロック発生部
２０２    整流部
２０３    変調制御部
２０４    行デコーダ
２０５    カウンター
２０６    メモリ
２０７    列デコーダ
２０９    変調回路
３０２    クロック発生部
３０５    ＭＰＵコア
３０６    ＲＦインターフェース
３０７    ＭＭＩインターフェース
【図１】
2005117632.tif 000003
【図２】
2005117632.tif 000004
【図３】
2005117632.tif 000005
【図４】
2005117632.tif 000006
【図５】
2005117632.tif 000007
【図６】
2005117632.tif 000008